(57)【要約】【課題】従来よりユーザにメッセージを注目させる。【解決手段】メッセージ表示システムＳは、メッセージを蓄積するツイッター管理サーバＢと、ツイッター管理サーバＢと通信可能であり、ツイッター管理サーバＢにメッセージをキーワード検索させ、検索されたメッセージ（検索メッセージ）をツイッター管理サーバＢから取得し、検索メッセージを所定の絵柄とともに所定の第１の時間を掛けて時系列順に表示するメッセージ表示装置Ａとを具備する。【選択図】図１
2012160111.tif 000002
【特許請求の範囲】
【請求項１】
メッセージを蓄積するサーバと、
前記サーバと通信可能であり、前記サーバに前記メッセージをキーワード検索させ、検索されたメッセージ（検索メッセージ）を前記サーバから取得し、前記検索メッセージを所定の絵柄とともに所定の第１の時間を掛けて時系列順に表示するメッセージ表示装置とを具備することを特徴とするメッセージ表示システム。
【請求項２】
前記メッセージ表示装置は、前記第１の時間を掛けて前記検索メッセージを移動することを特徴とする請求項１に記載のメッセージ表示システム。
【請求項３】
前記メッセージ表示装置は、前記検索メッセージを右から左に移動することを特徴とする請求項２に記載のメッセージ表示システム。
【請求項４】
前記メッセージ表示装置は、前記サーバから取得した検索メッセージの内の残りの検索メッセージの件数に応じて前記第１の時間を変化させることを特徴とする請求項１〜３のいずれか一項に記載のメッセージ表示システム。
【請求項５】
前記メッセージ表示装置は、前記検索メッセージ及び前記検索メッセージの添付ファイルを前記所定の絵柄とともに表示することを特徴とする請求項１〜４のいずれか一項に記載のメッセージ表示システム。
【請求項６】
前記メッセージ表示装置は、予め設定された検索キーワードに基づいて前記サーバに前記キーワード検索させることを特徴とする請求項１〜５のいずれか一項に記載のメッセージ表示システム。
【請求項７】
前記前記メッセージ表示装置は、入力された検索キーワードに基づいて前記サーバに前記キーワード検索させることを特徴とする請求項１〜５のいずれか一項に記載のメッセージ表示システム。
【請求項８】
前記メッセージ表示装置は、所定の第２の時間毎に前記サーバに前記メッセージをキーワード検索させることを特徴とする請求項１〜７のいずれか一項に記載のメッセージ表示システム。
【請求項９】
メッセージを蓄積するサーバと通信可能なメッセージ表示装置であって、
画面を表示する表示部と、
前記サーバに前記メッセージをキーワード検索させ、検索されたメッセージ（検索メッセージ）を前記サーバから取得する検索制御手段と、
前記検索メッセージを所定の絵柄とともに所定の時間を掛けて時系列順に前記表示部に表示させる表示制御手段とを具備することを特徴とするメッセージ表示装置。
【請求項１０】
メッセージを蓄積するサーバと通信可能であるとともに表示部を備えたコンピュータに実行させるメッセージ表示プログラムであって、
前記サーバに前記メッセージをキーワード検索させ、検索されたメッセージ（検索メッセージ）を前記サーバから取得する検索制御処理と、
前記検索メッセージを所定の絵柄とともに所定の時間を掛けて時系列順に前記表示部に表示させる表示制御処理とを具備することを特徴とするメッセージ表示プログラム。
【発明の詳細な説明】
【技術分野】
【０００１】
本発明は、メッセージ表示システム、メッセージ表示装置及びメッセージ表示プログラムに関する。
【背景技術】
【０００２】
近年、インターネット上でツイートと称されるメッセージ（１４０文字以内）の投稿を可能にするとともに、当該メッセージを不特定多数のユーザに公開するツイッター（登録商標）と呼ばれるコミュニケーションツールが普及している。ツイッターでは、ユーザアカウント毎に割り当てられたユーザ専用サイト（ホーム）に、各ユーザのメッセージが時系列順にリスト状に表示される。また、メッセージをキーワード検索すると、各ユーザに投稿されたメッセージからキーワードを含むメッセージが検索され、そのメッセージが時系列順にリスト状に表示される。例えば、ツイッターでは、ハッシュタグと呼ばれる「＃」＋「英文字列」により構成される文字列に基づいて各メッセージのグループ分けが可能であり、当該ハッシュタグをキーワードとして検索すれば、ハッシュタグを含むメッセージがリスト状に表示される。
【発明の概要】
【発明が解決しようとする課題】
【０００３】
ところで、上記従来技術において、キーワード検索されたメッセージは、単純にテキスト形式で表示されるだけである。つまり、視覚的に特徴のないテキスト形式のメッセージが、時系列順にリスト状に表示されているだけである。そのため、上記従来技術は、メッセージを視覚的にユーザに認識めさせる力に乏しく、メッセージをユーザに注目させることが難しかった。
【０００４】
本発明は、上述した事情に鑑みてなされたものであり、従来よりユーザにメッセージを注目させることを目的とする。
【課題を解決するための手段】
【０００５】
上記目的を達成するために、本発明では、メッセージ表示システムに係る第１の解決手段として、メッセージを蓄積するサーバと、前記サーバと通信可能であり、前記サーバに前記メッセージをキーワード検索させ、検索されたメッセージ（検索メッセージ）を前記サーバから取得し、前記検索メッセージを所定の絵柄とともに所定の第１の時間を掛けて時系列順に表示するメッセージ表示装置とを具備するという手段を採用する。
【０００６】
本発明では、メッセージ表示システムに係る第２の解決手段として、上記第１の解決手段において、前記メッセージ表示装置は、前記第１の時間を掛けて前記検索メッセージを移動するという手段を採用する。
【０００７】
本発明では、メッセージ表示システムに係る第３の解決手段として、上記第２の解決手段において、前記メッセージ表示装置は、前記検索メッセージを右から左に移動するという手段を採用する。
【０００８】
本発明では、メッセージ表示システムに係る第４の解決手段として、上記第１〜第３のいずれか１つの解決手段において、前記メッセージ表示装置は、前記サーバから取得した検索メッセージの内の残りの前記検索メッセージの件数に応じて前記第１の時間を変化させるという手段を採用する。
【０００９】
本発明では、メッセージ表示システムに係る第５の解決手段として、上記第１〜第４のいずれか１つの解決手段において、前記メッセージ表示装置は、前記検索メッセージ及び前記検索メッセージの添付ファイルを前記所定の絵柄とともに表示するという手段を採用する。
【００１０】
本発明では、メッセージ表示システムに係る第６の解決手段として、上記第１〜第５のいずれか１つの解決手段において、前記メッセージ表示装置は、予め設定された検索キーワードに基づいて前記サーバに前記キーワード検索させるという手段を採用する。
【００１１】
本発明では、メッセージ表示システムに係る第７の解決手段として、上記第１〜第５のいずれか１つの解決手段において、前記前記メッセージ表示装置は、入力された検索キーワードに基づいて前記サーバに前記キーワード検索させるという手段を採用する。
【００１２】
本発明では、メッセージ表示システムに係る第８の解決手段として、上記第１〜第７のいずれか１つの解決手段において、前記メッセージ表示装置は、所定の第２の時間毎に前記サーバに前記メッセージをキーワード検索させるという手段を採用する。
【００１３】
また、本発明では、メッセージ表示装置に係る第１の解決手段として、メッセージを蓄積するサーバと通信可能なメッセージ表示装置であって、画面を表示する表示部と、前記サーバに前記メッセージをキーワード検索させ、検索されたメッセージ（検索メッセージ）を前記サーバから取得する検索制御手段と、前記検索メッセージを所定の絵柄とともに所定の時間を掛けて時系列順に前記表示部に表示させる表示制御手段とを具備するという手段を採用する。
【００１４】
また、本発明では、メッセージ表示プログラムに係る第１の解決手段として、メッセージを蓄積するサーバと通信可能であるとともに表示部を備えたコンピュータに実行させるメッセージ表示プログラムであって、前記サーバに前記メッセージをキーワード検索させ、検索されたメッセージ（検索メッセージ）を前記サーバから取得する検索制御処理と、前記検索メッセージを所定の絵柄とともに所定の時間を掛けて時系列順に前記表示部に表示させる表示制御処理とを具備するという手段を採用する。
【発明の効果】
【００１５】
本発明によれば、検索メッセージは、所定の絵柄ととともに表示されるので、従来の単純なテキスト形式のメッセージと比較すると、大変目立つのでユーザに注目されやすい。
【図面の簡単な説明】
【００１６】
【図１】本発明の実施形態に係るメッセージ表示システムＳのシステム構成図である。
【図２】本発明の実施形態におけるメッセージ表示装置Ａの機能ブロック図である。
【図３】本発明の実施形態におけるメッセージ表示装置Ａのメインルーチンを示すフローチャートである。
【図４】本発明の実施形態におけるメッセージ表示装置Ａのコンフィグローダを示すフローチャートである。
【図５】本発明の実施形態におけるメッセージ表示装置Ａのバックグラウンドローダを示すフローチャートである。
【図６】本発明の実施形態におけるメッセージ表示装置Ａの検索制御処理を示すフローチャートである。
【図７】本発明の実施形態におけるメッセージ表示装置Ａのメッセージローダを示すフローチャートである。
【図８】本発明の実施形態におけるメッセージ表示装置Ａのメッセージ描画処理を示すフローチャートである。
【図９】本発明の実施形態におけるメッセージ表示装置Ａにおける画面の一例を示す図である。
【発明を実施するための形態】
【００１７】
以下、図面を参照して、本発明の実施形態について説明する。
本実施形態に係るメッセージ表示システムＳは、ツイッターにおけるメッセージをキーワード検索し、検索されたメッセージを表示するシステムであり、例えば、会社名や商品名をキーワードとして検索されたメッセージを不特定多数の社員に会社内の休憩室などで確認してもらうことに活用である。このようなメッセージ表示システムＳは、図１に示すように、メッセージ表示装置Ａ、ツイッター管理サーバＢ、クライアントコンピュータＣ１〜Ｃｎ及び通信ネットワークＤから構成されている。なお、クライアントコンピュータＣ１〜Ｃｎは、複数台のクライアントコンピュータが、通信ネットワークＤに接続されていることを示している。
【００１８】
メッセージ表示装置Ａは、液晶カラーディスプレーなどを用いた表示機能及び演算処理機能を備えた電子看板装置であり、会社内の休憩室などに設置され、当該場所に訪れた社員にツイッタにおけるメッセージを確認させることを目的に設けられている。このようなメッセージ表示装置Ａは、通信ネットワークＤを介してツイッター管理サーバＢに接続されている。このメッセージ表示装置Ａは、予め設定されている検索キーワードに基づいてツイッター管理サーバＢにツイッターにおけるメッセージ（ツイート）をキーワード検索させ、検索されたメッセージ（検索メッセージ）をツイッター管理サーバＢから取得し、当該検索メッセージを時系列順に表示する。
【００１９】
ツイッター管理サーバＢは、通信ネットワークＤを介してメッセージ表示装置Ａ及びクライアントコンピュータＣ１〜Ｃｎに接続され、ツイッターを提供するとともに、ツイッターにおけるメッセージを管理することを目的に設けられたサーバである。例えば、ツイッター管理サーバＢは、クライアントコンピュータＣ１〜Ｃｎから登録されるメッセージを蓄積するとともに、メッセージ表示装置Ａなどの外部装置から入力されたキーワードに基づいてメッセージをキーワード検索し、検索されたメッセージを外部装置に出力する機能を持つ。
【００２０】
クライアントコンピュータＣ１〜Ｃｎは、デスクトップ型またはノート型のパーソナルコンピュータであり、ツイッターにおけるメッセージを発言者が入力するためのコンピュータであり、キーボード及びマウス等の入力デバイスが受け付けた入力文字に基づいてメッセージを生成し、ユーザから登録指示を受け付けると、当該メッセージをツイッター管理サーバＢに送信する。
通信ネットワークＤは、ローカルエリアネットワーク及びインターネットから構成され、メッセージ表示装置Ａとツイッター管理サーバＢとを接続するとともに、ツイッター管理サーバＢとクライアントコンピュータＣ１〜Ｃｎとを接続する。
【００２１】
次に、上記メッセージ表示装置Ａの機能構成について、図２を参照して、説明する。
メッセージ表示装置Ａは、図２に示すように、通信部１、表示部２及び補助記憶部３、主記憶部４及びＣＰＵ５を備えている。なお、補助記憶部３、主記憶部４及びＣＰＵ５は、検索制御手段及び表示制御手段を構成する。
【００２２】
通信部１は、ツイッター管理サーバＢと信号を送受信する通信インタフェースであり、通信ネットワークＤに接続されている。
表示部２は、例えば、液晶カラーディスプレイであり、ＣＰＵ５の制御指令に基づいて各種画面を表示する。
【００２３】
補助記憶部３は、例えばフラッシュメモリまたはハードディスク等の補助記憶装置であり、ＣＰＵ５によって実行される検索制御プログラム３ａ、背景生成プログラム３ｂ、メッセージ生成プログラム３ｃ及び表示プログラム３ｄなどの制御プログラムを記憶する。また、補助記憶部３は、ツイッタにおけるメッセージのキーワード検索が実行される際の設定値が記述されているＸＭＬ（Extensible Markup Language）設定ファイル３ｅを記憶している。なお、本実施形態は、ＸＭＬ形式で記述されたＸＭＬ設定ファイル３ｅに基づいてキーワード検索を実行するが、本発明は、これに限定されず、ＸＭＬ形式以外のＳＧＭＬ（Standard Generalized Markup Language）形式やＨＴＭＬ（Hyper Text Markup Language）形式などのその他の形式で記述された設定ファイルを用いてもよい。
【００２４】
例えば、上記ＸＭＬ設定ファイル３ｅには、検索キーワード、検索対象ユーザ、検索範囲（検索対象地を中心とした検索対象範囲）及び検索間隔（第２の時間）が設定値として登録されている。従って、ユーザは、ＸＭＬ設定ファイル３ｅを書き換えることによって、キーワード検索における設定値を変更することができる。さらに、補助記憶部３は、ツイッターのメッセージを表示する際の背景画像や、メッセージとともに表示されるメッセージ絵柄が複数パターン登録されている画像セットデータ３ｆを記憶している。
【００２５】
主記憶部４は、ＲＯＭ（Read Only Memory）及びＲＡＭ（Random Access Memory）から構成されている主記憶装置である。主記憶部４は、ＣＰＵ５による制御プログラムの実行時に、ＣＰＵ５の制御指令に基づいて、補助記憶部３に記憶されている検索制御プログラム３ａ、背景生成プログラム３ｂ、メッセージ生成プログラム３ｃ及び表示プログラム３ｄなどの制御プログラムや、ＸＭＬ設定ファイル３ｅや、画像セットデータ３ｆを記憶する。
【００２６】
ＣＰＵ５は、主記憶部４に記憶されている検索制御プログラム３ａ、背景生成プログラム３ｂ、メッセージ生成プログラム３ｃ及び表示プログラム３ｄなどの制御プログラム、ＸＭＬ設定ファイル３ｅ及び画像セットデータ３ｆに基づいてメッセージ表示装置Ａの全体動作を制御する。すなわち、ＣＰＵ５は、主記憶部４から制御プログラムを読み出し、当該制御プログラムを実行するともに、ＸＭＬ設定ファイル３ｅ及び画像セットデータ３ｆを適時使用することでメッセージ表示装置Ａの全体動作を制御する。
【００２７】
次に、上記構成のメッセージ表示装置Ａの動作について図３〜９を参照して説明する。
まず、動作概要として、メッセージ表示装置ＡのＣＰＵ５は、ツイッター管理サーバＢにメッセージをキーワード検索させ、検索されたメッセージ（検索メッセージ）をツイッター管理サーバＢから取得し、検索メッセージを所定のメッセージ絵柄とともに所定の時間（第１の時間）を掛けて右から左に移動しながら時系列順に表示部２に表示させる。
【００２８】
上記動作の詳細は、以下の通りである。
ＣＰＵ５は、図３に示すように、検索制御プログラム３ａに従って、コンフィグローダ(サブルーチン)を実行する（ステップＳ１）。上記コンフィグローダの詳細について、図４を参照して説明する。ＣＰＵ５は、主記憶部４に記憶されているＸＭＬ設定ファイル３ｅから文字列情報を読み取り、確認する（ステップＳ１１）。
【００２９】
ＣＰＵ５は、ステップ１１の後に、ＸＭＬ設定ファイル３ｅの読み取りに成功したか否か判定し（ステップＳ１２）、ステップＳ１２において『ＹＥＳ』と判定した場合には、すなわち、ＸＭＬ設定ファイル３ｅの読み取りに成功した場合には、ＸＭＬ設定ファイル３ｅから読み取った文字列情報をキーワード検索における設定値（検索キーワード、検索対象ユーザ、検索範囲及び検索間隔）として取得し（ステップＳ１３）、コンフィグローダを終了する。また、ＣＰＵ５は、ステップＳ１２において『ＮＯ』と判定した場合には、すなわち、ＸＭＬ設定ファイル３ｅの読み取りに失敗した場合には、上記ステップＳ１３を実行せずにコンフィグローダを終了する。
【００３０】
図３に戻り、ＣＰＵ５は、ステップＳ１においてコンフィグローダを終了すると、コンフィグローダにおいて設定値の取得に成功したか否か判定し（ステップＳ２）、ステップＳ２において『ＮＯ』と判定した場合には、すなわち、設定値の取得に失敗した場合には、ステップＳ１に戻り、再びコンフィグローダを実行する。また、ＣＰＵ５は、ステップＳ２において『ＹＥＳ』と判定した場合には、すなわち、設定値の取得に成功した場合には、背景生成プログラム３ｂに従って、バックグラウンドローダ（サブルーチン）を実行する（ステップＳ３）。
【００３１】
上記バックグラウンドローダの詳細について、図５を参照して説明する。ＣＰＵ５は、主記憶部４に記憶されている画像セットデータ３ｆから所定パターンの背景画像を読み取り（ステップＳ３１）、表示プログラム３ｄに従って当該背景画像に基づく背景を表示部２に表示させる（ステップＳ３２）。ＣＰＵ５は、ステップＳ３２において、例えば、図９に示す画面の背景Ｂｋを表示部２に表示させる。
【００３２】
ＣＰＵ５は、ステップＳ３２の後に、１時間経過したか否か判定し（ステップＳ３３）、ステップＳ３３において『ＹＥＳ』と判定した場合には、すなわち、１時間経過した場合には、画像セットデータ３ｆから異なるパターンの背景画像を読み出し、表示プログラム３ｄに従って当該背景画像に基づく背景へ表示部２に更新させる（ステップＳ３４）。すなわち、ＣＰＵ５は、１時間毎に背景を更新し、例えば、色または絵柄の異なる背景に更新する。
【００３３】
ＣＰＵ５は、ステップＳ３３において『ＮＯ』と判定した場合には、すなわち、１時間経過していない場合には、１分経過したか否か判定する（ステップＳ３５）。ＣＰＵ５は、ステップＳ３５において『ＹＥＳ』と判定した場合には、すなわち、１分経過した場合には、表示プログラム３ｄに従って、背景に描かれる時計の時刻を表示部２に更新させ（ステップＳ３６）、バックグラウンドローダを終了する。また、ＣＰＵ５は、ステップＳ３５において『ＮＯ』と判定した場合には、すなわち、１分経過していない場合には、上記ステップＳ３６を実行せずにバックグラウンドローダを終了する。ＣＰＵ５は、ステップＳ３６において、例えば、図９に示す画面の背景Ｂｋに描かれている時計Ｔｍの時刻を更新する。
【００３４】
図３に戻り、ＣＰＵ５は、ステップＳ３においてバックグラウンドローダを終了すると、検索制御プログラム３ａに従って、検索制御処理（サブルーチン）を実行する（ステップＳ４）。上記検索制御処理の詳細について、図６を参照して説明する。ＣＰＵ５は、ステップＳ１（コンフィグローダ）において取得した設定値に基づいてツイッター管理サーバＢにメッセージをキーワード検索させるために、通信部１にツイッター管理サーバＢに向けて検索指示信号を送信させる（ステップＳ４１）。
【００３５】
ＣＰＵ５は、ステップＳ４１の後に、検索されたメッセージ（検索メッセージ）のデータベース（メッセージＤＢ（Data Base））をツイッター管理サーバＢから通信部１を介して取得し、当該メッセージＤＢを主記憶部４に記憶させ（ステップＳ４２）、検索制御処理を終了する。ＣＰＵ５は、この検索制御処理を、設定値の検索間隔（第２の時間）毎に実行する。
【００３６】
また、ＣＰＵ５は、上記メッセージＤＢをＸＭＬ形式ファイルとして取得する。このメッセージＤＢには、検索メッセージに紐付けされた発言者名、発言時刻及び添付ファイルの参照先も含まれている。また、本実施形態において、メッセージＤＢはＸＭＬ形式ファイルであるが、本発明は、これに限定されず、ＸＭＬ形式以外のＳＧＭＬ（Standard Generalized Markup Language）形式やＨＴＭＬ（Hyper Text Markup Language）形式などのその他の形式で記述されたメッセージＤＢを用いてもよい。
【００３７】
図３に戻り、ＣＰＵ５は、ステップＳ４において検索制御処理を終了すると、メッセージ生成プログラム３ｃに従ってメッセージローダ（サブルーチン）を実行する（ステップＳ５）。上記メッセージローダの詳細について、図７を参照して説明する。ＣＰＵ５は、ステップＳ４（検索制御処理）において取得したメッセージＤＢに登録されている検索メッセージの件数を確認し（ステップＳ５１）、検索メッセージが１件以上である否か判定する（ステップＳ５２）。ＣＰＵ５は、ステップＳ５２において『ＮＯ』と判定した場合には、すなわち、検索メッセージが０件である場合には、メッセージローダを終了する。
【００３８】
また、ＣＰＵ５は、ステップＳ５２において『ＹＥＳ』と判定した場合には、すなわち、メッセージＤＢに登録されている検索メッセージが１件以上である場合には、メッセージＤＢから時系列順に１件の検索メッセージを取得し（ステップＳ５３）、取得した検索メッセージをメッセージＤＢから消去する（ステップＳ５４）。ＣＰＵ５は、ステップＳ５４の後に、ステップＳ５３において取得した検索メッセージの文字数情報、当該検索メッセージのタイプ情報及びメッセージＤＢの残りの検索メッセージの件数（残件数情報）を取得し（ステップ５５）、検索メッセージ、文字数情報、タイプ情報及び残件数情報を引数としてメッセージ描画処理（サブルーチン）を実行する（ステップＳ５６）。なお、検索メッセージのタイプとは、検索メッセージに含まれるハッシュタグのタイプである。
【００３９】
上記メッセージ描画処理の詳細について、図８を参照して説明する。ＣＰＵ５は、文字数情報及びタイプ情報に基づいて検索メッセージの文字数及びタイプを認識し、文字数及びタイプに応じてメッセージ絵柄を決定する（ステップＳ６１）。つまり、ＣＰＵ５は、検索メッセージの文字数及びタイプに応じて選択的にメッセージ絵柄の色や形状を変える。なお、図９に示すように、メッセージ絵柄Ｐｃは、検索メッセージＭｇが重ね合わされた雲状の絵柄である。
【００４０】
ＣＰＵ５は、ステップＳ６１の後に、決定されたメッセージ絵柄を主記憶部４に記憶されている画像セットデータ３ｆから読み取り（ステップＳ６２）、当該メッセージ絵柄に検索メッセージを重ね合わせ、メッセージ画像を生成する（ステップＳ６３）。図９に示すように、メッセージ画像Ｍｐは、メッセージ絵柄Ｐｃに検索メッセージが重ね合わされたものでる。さらに、このメッセージ画像Ｍｐは、発言者名Ｓｎ、発言時刻Ｓｔ及び添付ファイルＡｆが重ね合わされている。
【００４１】
ＣＰＵ５は、ステップＳ６３の後に、残件数情報に基づいてメッセージ画像の移動速度を決定する（ステップＳ６４）。つまり、ステップＳ６４において、メッセージ画像の移動に要する所定の時間（第１の時間）が決まる。ＣＰＵ５は、ステップＳ６４において、メッセージＤＢに残っている検索メッセージの残件数が多いほど、移動速度を速くし、残件数が少ないほど、移動速度を遅くする。
【００４２】
ＣＰＵ５は、ステップＳ６４の後に、表示プログラムに従って、ステップＳ６４において決定された移動速度でメッセージ画像Ｍｐを画面の右か左に移動（図９参照）させる（ステップＳ６５）。ＣＰＵ５は、ステップＳ６５の後に、メッセージ画像が横方向における所定の位置を越えたか否か判定する（ステップＳ６６）。上記所定の位置とは、次のメッセージ画像を表示させるための画面の横方向における基準位置である。ＣＰＵ５は、ステップＳ６６において『ＹＥＳ』と判定した場合には、すなわち、メッセージ画像が横方向における所定の位置を越えた場合には、次のメッセージ画像を生成するために、ステップＳ５１に移行する（図７参照）。
【００４３】
また、ＣＰＵ５は、ステップＳ６６において『ＮＯ』と判定した場合には、すなわち、メッセージ画像が横方向における所定の位置を越えていない場合には、右から左に移動するメッセージ画像が画面内にまだ表示さているか否か判定し（ステップＳ６７）、ステップＳ６７において『ＮＯ』と判定した場合には、すなわちメッセージ画像が画面内に表示さていない場合には、当該メッセージ画像を消去する（ステップＳ６８）。また、ＣＰＵ５は、ステップＳ６８において『ＹＥＳ』と判定した場合には、すなわちメッセージ画像が画面内に表示さている場合には、ステップＳ６５に戻る。
【００４４】
このように、メッセージ表示装置Ａは、ツイッター管理サーバＢにメッセージをキーワード検索させ、検索メッセージをツイッター管理サーバＢから取得し、検索メッセージを所定のメッセージ絵柄に重ね合わせて所定の時間（第１の時間）を掛けて右から左に移動しながら時系列順に表示部２に表示させる。
【００４５】
以上のように、本実施形態では、検索メッセージは、メッセージ絵柄ととともに表示されるので、従来の単純なテキスト形式のメッセージと比較すると、大変目立つのでユーザに注目されやすい。例えば、メッセージ表示装置Ａが会社内の休憩室に設置されている場合であれば、企業名や商品名をキーワードとして検索されたメッセージを休憩室を訪れた社員に注目させて、確認させることができる。また、メッセージ表示装置Ａがショッピングセンタ内に設置され、各店舗のメッセージの表示に活用されている場合であれば、各店舗の商品情報をメッセージとして客に紹介することもできる。
【００４６】
以上、本発明の一実施形態について説明したが、本発明は上記実施形態に限定されることなく、例えば以下のような変形が考えられる。
（１）上記実施形態は、ＸＭＬ設定ファイル３ｅに記述された予め設定された設定値に基づいてキーワード検索を実行したが、本発明はこれに限定されない。例えば、メッセージ表示装置Ａが、キーボードなどの操作部を備えている場合には、ユーザによる操作部の操作によって入力された検索キーワードに基づいてキーワード検索を実行するようにしてもよい。
【００４７】
（２）上記実施形態は、所定の時間を掛けて移動するメッセージ画像を表示したが、本発明はこれに限定されない。例えば、メッセージ画像を所定の時間を掛けて移動させるのではなく、時系列順にメッセージ画像を表示させ、位置を変えずに、所定の時間を掛けてメッセージ画像を小さく縮ませるように表氏するようにしてもよい。
【００４８】
（３）上記実施形態は、検索メッセージをメッセージ絵柄に重ね合わせメッセージ画像を生成している、本発明はこれに限定されない。例えば、メッセージ絵柄の上側に検索メッセージを表示させ、検索メッセージをメッセージ絵柄とともに移動させるようにしてもよい。また、図９では、雲状のメッセージ絵柄が用いられているが、これに限定されずに、例えば、車のメッセージ絵柄などその他のメッセージ絵柄を用いてもよい。さらに、このようなメッセージ絵柄及び背景を、ユーザの変更指示に基づいて変更できるようにしてもよい。
【００４９】
（４）上記実施形態では、メッセージ表示装置Ａは、電子看板装置に検索制御プログラム３ａ、背景生成プログラム３ｂ、メッセージ生成プログラム３ｃ、表示プログラム３ｄ、ＸＭＬ設定ファイル３ｅ、画像セットデータ３ｆが組み込まれたものであるが、コンピュータにこれらファイルをインストールし、当該コンピュータをメッセージ表示装置Ａとして用いるようにしてもよい。
【００５０】
（５）上記実施形態は、ツイッターにおけるメッセージを表示しているが、本発明はこれに限定されない。例えば、社内だけで閲覧可能な社内ホームページに、社員がメッセージを投稿できる機能が搭載されている場合であれば、社員から投稿されたメッセージをメッセージ表示装置Ａに表示させるようにしてもよい。具体的には、社内ホームページを提供するとともにメッセージを管理する専用管理サーバを、ツイッター管理サーバＢの代わりに設置する。メッセージ表示装置Ａは、上記専用管理サーバにメッセージをキーワード検索させ、検索されたメッセージ（検索メッセージ）を専用管理サーバから取得し、上述したように検索メッセージを所定のメッセージ絵柄とともに表示する。
【符号の説明】
【００５１】
Ｓ…メッセージ表示システム、Ａ…メッセージ表示装置、Ｂ…ツイッター管理サーバ、Ｃ１〜Ｃｎ…クライアントコンピュータ、Ｄ…通信ネットワーク、１…通信部、２…表示部、３…補助記憶部、４…主記憶部、５…ＣＰＵ、３ａ…検索制御プログラム、３ｂ…背景生成プログラム、３ｃ…メッセージ生成プログラム、３ｄ…表示プログラム、３ｅ…ＸＭＬ設定ファイル、３ｆ…画像セットデータ、Ｂｋ…背景、Ｔｍ…時計、メッセージ絵柄Ｐｃ、Ｍｐ…メッセージ画像、Ｓｎ…発言者名、Ｓｔ…発言時刻、Ａｆ…添付ファイル
【図１】
2012160111.tif 000003
【図２】
2012160111.tif 000004
【図３】
2012160111.tif 000005
【図４】
2012160111.tif 000006
【図５】
2012160111.tif 000007
【図６】
2012160111.tif 000008
【図７】
2012160111.tif 000009
【図８】
2012160111.tif 000010
【図９】
2012160111.tif 000011